(57)【要約】【課題】従来は、絞り装置と絞り装置の間に二次熱交換器を設ける構成により、一次冷媒流路中心の運転に補助的に二次冷媒流路による冷房・暖房を追加して空調を少しでも改善しようと言うもので、床暖房や床冷房主体による快適な空調や、床暖房しながらの除湿運転、等、実用的な空調が得られなかった。【解決手段】本発明は負荷側熱交換器を形成する空調用の室内熱交換器と床冷暖房用熱交換器を直列に直結しこの床冷暖房用熱交換器の冷媒流入部と冷媒流出部をバイパスさせる第１バイパス配管と、第１バイパス配管上に冷凍サイクルが冷房運転回路時に冷媒を流通可能で暖房運転回路時に冷媒を流通させない流路制御手段と、を備えたので、冷暖房を含め各種運転が伝熱性能の低下を起すことなく実現でき、低コストで床冷暖房を使用できる空調装置が得られる。【選択図】        図１
2005016858.tif 000002
【特許請求の範囲】
【請求項１】
圧縮機、熱源側熱交換器、絞り装置、負荷側熱交換器を順に接続し前記圧縮機から吐出した冷媒を前記圧縮機に戻す冷凍サイクルと、前記負荷側熱交換器を形成する空調用の室内熱交換器と床冷暖房用熱交換器を直列に配管接続しこの床冷暖房用熱交換器の冷媒流入部と冷媒流出部をバイパスさせる第１バイパス配管と、前記第１バイパス配管上に前記冷凍サイクルが冷房運転回路時に冷媒を流通可能で暖房運転回路時に冷媒を流通させない流路制御手段と、を備えたことを特徴とするヒートポンプ式空調装置。
【請求項２】
前記床冷暖房用熱交換器から床冷暖房パネルへ２次側熱媒体を循環させるポンプと、を備え、前記２次側熱媒体が前記床冷暖房パネルに温熱もしくは冷熱を放出して床暖もしくは床冷を行うことを特徴とする請求項１記載のヒートポンプ式空調装置。
【請求項３】
前記流路制御手段は前記床冷暖房用熱交換器の冷媒流入部と冷媒流出部をバイパスさせる第１バイパス配管上に設けられ、前記第１バイパス配管を開閉する開閉弁、または前記室内熱交換器への流れを阻止する逆止弁と開閉弁を直列に接続したものであることを特徴とする請求項１または２記載のヒートポンプ式空調装置。
【請求項４】
前記冷凍サイクルを循環する冷媒が前記室内熱交換器から前記第１バイパス回路へ流通する空調運転と、前記冷媒が前記室内熱交換器から前記床冷暖房用熱交換器へ流通し前記床冷暖房用熱交換器にて２次側熱媒体へ熱交換させる運転と、のいずれかの運転への切り替えを前記第１バイパス配管を開閉する開閉弁にて行うことを特徴とする請求項１または２または３記載のヒートポンプ式空調装置。
【請求項５】
前記圧縮機から前記床冷暖房用熱交換器および前記室内熱交換器を循環させた冷媒を前記熱源側熱交換器をバイパスさせて前記圧縮機へ戻す第２のバイパス配管と、前記第２のバイパス配管上に設けられ、前記第２のバイパス配管を開閉させる第２の開閉弁と、前記床冷暖房用熱交換器と前記室内熱交換器との間に設けられ各熱交換器を凝縮および膨張させる副絞り装置と、を備えたことを特徴とする請求項１乃至４のいずれかに記載のヒートポンプ式空調装置。
【請求項６】
前記室内熱交換器と前記床冷暖房用熱交換器の間に設けられる前記副絞り装置に並列で二方弁を介してバイパスするバイパス回路を配設したことを特徴とする請求項５記載のヒートポンプ式空調装置。
【請求項７】
前記床冷暖房用熱交換器は二重管熱交換器としたことを特徴とする請求項１乃至６のいずれかに記載のヒートポンプ式空調装置。
【請求項８】
前記床冷暖房用熱交換器から前記床冷暖房パネルに送られる２次側熱媒体の温度を検出する送水温度センサー、および、前記床冷暖房パネルから前記床冷暖房用熱交換器に戻る２次側熱媒体の温度を検出する戻水温度センサー、の少なくとも一方を設けたことを特徴とする請求項１乃至７のいずれかに記載のヒートポンプ式空調装置。
【請求項９】
前記負荷側熱交換器は室内熱交換器と床冷暖房用熱交換器を直列に配管接続しともに凝縮器として使用して床暖房と空調暖房の併用運転を行う際、前記圧縮機の運転周波数は床暖房能力を空調暖房能力に優先して制御するとともに、空調暖房能力は前記室内熱交換器に送風する室内ファンの断続運転または回転数増減により制御することを特徴とする請求項１乃至８のいずれかに記載のヒートポンプ式空調装置。
【請求項１０】
前記負荷側熱交換器は室内熱交換器と床冷暖房用熱交換器を直列に配管接続しともに蒸発器として使用して床冷房と空調冷房の併用運転を行う際、前記圧縮機の運転周波数は床冷房能力を空調冷房能力に優先して制御するとともに、空調冷房能力は前記室内熱交換器に送風する室内ファンの断続運転または回転数増減により制御することを特徴とする請求項１乃至８のいずれかに記載のヒートポンプ式空調装置。
【請求項１１】
前記負荷側熱交換器は室内熱交換器と床冷暖房用熱交換器を直列に配管接続しともに蒸発器として使用して床冷房と空調冷房の併用運転を行う際、ポンプで循環する２次側熱媒体の温度が、予め設定された温度に近づくように前記圧縮機の運転周波数および前記ポンプの送水量の少なくとも一方を制御することを特徴とする請求項１乃至８のいずれかに記載のヒートポンプ式空調装置。
【請求項１２】
前記負荷側熱交換器は室内熱交換器と床冷暖房用熱交換器を直列に配管接続しともに蒸発器として使用して床冷房と空調冷房の併用運転を行う際、ポンプで循環する２次側熱媒体の温度が、予め設定された温度より大きいときは床冷房と空調冷房の併用運転を継続し、設定された温度より小さいときは空調冷房のみの運転を行うことを特徴とする請求項１乃至８のいずれかに記載のヒートポンプ式空調装置。
【請求項１３】
前記負荷側熱交換器は室内熱交換器と床冷暖房用熱交換器を直列に配管接続しともに蒸発器として使用して床冷房と空調冷房の併用運転を行う際、ポンプで循環する２次側熱媒体の温度が、算出された室内空気の露点温度よりも高くなるように前記圧縮機の運転周波数および前記ポンプの送水量の少なくとも一方を制御することを特徴とする請求項１乃至８のいずれかに記載のヒートポンプ式空調装置。
【請求項１４】
前記床冷暖房用熱交換器から送水される２次側熱媒体が温熱もしくは冷熱を放出する床冷暖房パネルの表面温度をほぼ２５℃ないし３５℃程度になるように前記圧縮機の運転周波数および前記ポンプの送水量の少なくとも一方を制御することを特徴とする請求項１乃至１３記載のヒートポンプ式空調装置。
【請求項１５】
前記冷凍サイクルを循環させる冷媒として、ＨＦＣ冷媒、または、ＨＣ冷媒やＣＯ２冷媒のような自然冷媒を用い、２次側熱媒体としてブラインを用いたことを特徴とする請求項１乃至１４のいずれかに記載のヒートポンプ式空調装置。
【請求項１６】
圧縮機、床冷暖房用熱交換器、副絞り装置、室内側熱交換器、熱源側熱交換器を順に接続し前記圧縮機から吐出された冷媒を循環させる冷凍サイクルと、前記床冷暖房用熱交換器の２次側熱媒体をポンプにより循環させ前記２次側熱媒体が温熱を放出する床冷暖房パネルと、を備え、前記床冷暖房用熱交換器を凝縮器とし、前記室内熱交換器と前記熱源側熱交換器を蒸発器とするように前記副絞り装置を開閉し、前記床冷暖房パネルにて暖房しながら前記室内熱交換器にて冷房除湿を行うことを特徴とするヒートポンプ式空調装置。
【請求項１７】
圧縮機、床冷暖房用熱交換器、副絞り装置、室内側熱交換器を順に接続し前記圧縮機から吐出された冷媒を循環させる冷凍サイクルと、前記冷凍サイクルを循環させる冷媒を熱源側熱交換器をバイパスさせて前記圧縮機へ戻す第２のバイパス配管と、前記床冷暖房用熱交換器の２次側熱媒体をポンプにより循環させ前記２次側熱媒体が温熱を放出する床冷暖房パネルと、を備え、前記床冷暖房パネルにて暖房しながら前記室内熱交換器にて冷房除湿を行うことを特徴とするヒートポンプ式空調装置。
【請求項１８】
床暖房と空調冷房の併用運転を行う際、ポンプで循環し前記冷暖房パネルへ送られる２次側熱媒体の温度が一定となるように前記圧縮機の運転周波数および前記ポンプの吐出量および前記副絞り装置の開度の少なくとも一つを制御することを特徴とする請求項１６または１７記載のヒートポンプ式空調装置。
【請求項１９】
床暖房と空調冷房の併用運転を行う際、ポンプで循環し前記冷暖房用熱交換器に戻る２次側熱媒体の温度が、設定された温度より所定値以上小さくなったとき、前記併用運転を停止させることを特徴とする請求項１６または１７または１８記載のヒートポンプ式空調装置。
【請求項２０】
圧縮機、熱源側熱交換器、絞り装置、室内側熱交換器、床冷暖房用熱交換器を順に接続した冷凍サイクルが冷媒を循環させて冷房運転を行うステップと、前記床冷暖房用熱交換器の２次側熱媒体をポンプにより床冷暖房パネルに循環させて、前記床冷暖房パネルに前記２次側熱媒体が温熱もしくは冷熱を放出するステップと、前記冷凍サイクルの動作停止時に前記ポンプを運転させて前記２次側熱媒体を流動させるステップと、を備えたことを特徴とするヒートポンプ式空調装置の運転方法。
【請求項２１】
圧縮機、床冷暖房用熱交換器、副絞り装置、室内側熱交換器を順に接続した前記冷凍サイクルに冷媒を循環させ運転を行うステップと、前記床冷暖房用熱交換器の２次側熱媒体をポンプにより床冷暖房パネルに循環させて、前記床冷暖房パネルに前記２次側熱媒体が温熱を放出するステップと、を備え、前記床冷暖房パネルにて暖房しながら前記室内熱交換器にて冷房除湿を行うことを特徴とするヒートポンプ式空調装置の運転方法。
【請求項２２】
前記床冷暖房パネルにて暖房しながら前記室内熱交換器にて冷房除湿を行う際、前記ポンプで循環する２次側冷媒体の前記冷暖房パネルへ送水する送水温度および前記ポンプで循環する２次側冷媒体の前記冷暖房用熱交換器に戻る戻水温度および前記ポンプの送水量から床暖房能力を算出するステップと、を備え、この算出された床暖房能力と前記室内熱交換器前後の空気の温度差から得られる冷房能力との能力比が一定範囲となるように、前記圧縮機の運転周波数および前記副絞り装置の開度の少なくとも一つを制御することを特徴とする請求項２１記載のヒートポンプ式空調装置の運転方法。
【請求項２３】
圧縮機、床冷暖房用熱交換器、室内側熱交換器、絞り装置、室外側熱交換器を順に接続した前記冷凍サイクルに冷媒を循環させ運転を行うステップと、前記冷凍サイクルを所定時間運転後、前記床冷暖房用熱交換器の２次側熱媒体をポンプにより床冷暖房パネルに循環させて、前記床冷暖房パネルに前記２次側熱媒体が温熱を放出するステップと、を備え、前記２次側熱媒体の温度が所定温度に達するまで、または前記ポンプ起動後所定時間経過するまで、２次側熱媒体の流量を床暖房運転時より減らす運転を行うことを特徴とするヒートポンプ式空調装置の運転方法。
【発明の詳細な説明】
【０００１】
【発明の属する技術分野】
本発明は、冷凍サイクルと、この冷凍サイクルに設けた床冷暖房熱交換器により加熱もしくは冷却された２次側熱媒体が床冷暖房パネルを循環するヒートポンプ式空調装置およびその運転方法に関するものである。
【０００２】
【従来の技術】
従来のヒートポンプ床暖房空調装置は、低温低圧のガス冷媒を吸入して圧縮し高温高圧のガス冷媒を吐出する圧縮機の吐出側に一端が接続された四方弁を介して室外熱交換器が接続される。この室外熱交換器の他端に一端が絞り装置を介して接続された室内熱交換器の他端が四方弁へ接続されるとともに、室外熱交換器の他端に一端が別の絞り装置を介して接続された床暖房用熱交換器が室内熱交換器と並列に四方弁へ接続される。一方、床暖房パネルの一端は床暖房用熱交換器に接続され、他端はポンプを介して床暖房用熱交換器に接続され２次側熱媒体である温水を循環する構成である。
【０００３】
以上のように構成された従来のヒートポンプ床暖房空調装置において、例えば床暖房＋空調暖房運転の場合について動作を説明する。圧縮機より高温高圧のガス冷媒が吐出し、四方弁を通った後室内熱交換器に接続される配管と床暖房用熱交換器に接続される配管に分岐される。室内熱交換器に分岐したガス冷媒の一部は室内空気と熱交換することにより、気液二相冷媒または液冷媒に凝縮し、室内熱交換器を流出する。また、床暖房用熱交換器に分岐した残りのガス冷媒は２次側熱媒体と熱交換することにより、気液二相冷媒または液冷媒に凝縮し、床暖房用熱交換器を流出する。室内熱交換器を流出した冷媒は絞り装置により減圧され、床暖房用熱交換器を流出した冷媒は別の絞り装置により減圧されたのち合流し、室外熱交換器に流入する。ここで外気と熱交換することにより冷媒は蒸発し、乾き度の高い二相冷媒またはガス冷媒となって流出し、四方弁を通って圧縮機に吸入される。（特許文献１参照）
【０００４】
一方、他の構成である従来のヒートポンプ床冷暖房空調装置では、圧縮機、四方弁、室外熱交換器、絞り装置、および室内熱交換器を接続して一次冷媒流路を形成させ、この一次冷媒流路と熱交換する二次熱交換器を第２の絞り装置と直列に設け、絞り装置と第２の絞り装置の間に二次熱交換器を接続して、この二次熱交換器と二次側ポンプと利用側熱交換器で二次冷媒流路を形成させる構成が提案されている。絞り装置と第２の絞り装置の間に二次熱交換器を設けるこの構成により、一次冷媒と二次冷媒の間の冷房・暖房のための熱交換制御が容易で二次熱交換器による冷暖房切り替え運転や室内熱交換器との同時運転が可能になるとともに、施工が容易な構造が得られるものである。（特許文献２参照）
【０００５】
【特許文献１】
特開２０００−４６４１７号公報（図１他）
【特許文献２】
特開２００２−１９５６０９号公報（図１、０００６欄他）
【０００６】
【発明が解決しようとする課題】
前記のような従来のヒートポンプ床暖房空調装置は、室内熱交換器と床暖房用熱交換器が並列の回路となっている。床暖房用熱交換器は４０℃以上の２次側熱媒体温度を確保するために、常に比較的高めの冷媒温度を必要とするのに対し、室内熱交換器は暖房負荷に応じて必要な冷媒温度は変化し、また伝熱面積が広く伝熱性能の良い室内熱交換器では冷媒温度は床暖房用熱交換器で必要な冷媒温度よりも低い温度で十分である。しかし、従来のヒートポンプ床暖房空調装置では室内熱交換器と床暖房用熱交換器は並列に配管接続されているため、圧縮機から吐出した同じ温度の吐出ガス冷媒が流入する構造となっており、床暖房能力に合わせて圧縮機周波数を調整すると室内空調暖房能力が過大となったり、逆に空調暖房能力に合わせて圧縮機周波数を調整すると床暖房能力が不足し床暖房パネルの表面温度が不足するという不具合があった。
【０００７】
また、圧縮機から吐出したガス冷媒は室内熱交換器と床暖房用熱交換器に分岐されるため、それぞれの熱交換器を流れる冷媒流量は減少し、伝熱性能が低下し効率が悪くなるという不具合があった、また、それぞれの熱交換器に対応して絞り装置を有するため、制御が複雑になり、コストも高いという問題があった。
【０００８】
又従来のヒートポンプ床冷暖房空調装置では、絞り装置と第２の絞り装置の間に二次熱交換器を設ける構成により、常に一次冷媒流路である室内熱交換器中心の運転に補助的に二次冷媒流路による冷房・暖房を追加して空調を少しでも改善しようと言うもので、床暖房や床冷房主体による快適な空調や、床暖房しながらの除湿運転、等、実用的で安価な空調が得られないと言う問題があった。
【０００９】
本発明は、かかる課題を解決するためになされたもので、床暖房や床冷房と空調の冷暖房除湿を同時に、且つ各種併用運転が簡単に実現できる使い勝手の良い安価な装置、運転方法を得ることを目的とする。更に本発明は、空調のみならず床冷暖房や除湿を高い能力で運転でき、床冷暖房パネルの冷暖房能力が不足する等の不具合を回避することを目的としている。
【００１０】
【課題を解決するための手段】
本発明にかかわるヒートポンプ式空調装置は、圧縮機、熱源側熱交換器、絞り装置、負荷側熱交換器を順に接続し圧縮機から吐出した冷媒を圧縮機に戻す冷凍サイクルと、負荷側熱交換器を形成する空調用の室内熱交換器と床冷暖房用熱交換器を直列に配管接続しこの床冷暖房用熱交換器の冷媒流入部と冷媒流出部をバイパスさせる第１バイパス配管と、第１バイパス配管上に冷凍サイクルが冷房運転回路時に冷媒を流通可能で暖房運転回路時に冷媒を流通させない流路制御手段と、を備えたものである。
【００１１】
本発明にかかわるヒートポンプ式空調装置は、圧縮機、床冷暖房用熱交換器、副絞り装置、室内側熱交換器を順に接続し圧縮機から吐出された冷媒を循環させる冷凍サイクルと、冷凍サイクルを循環させる冷媒を熱源側熱交換器をバイパスさせて圧縮機へ戻す第２のバイパス配管と、床冷暖房用熱交換器の２次側熱媒体をポンプにより循環させ２次側熱媒体が温熱を放出する床冷暖房パネルと、を備え、床冷暖房用熱交換器を凝縮器とし、室内熱交換器を蒸発器とするように副絞り装置を開閉するものである。
【００１２】
本発明にかかわるヒートポンプ式空調装置の運転方法は、圧縮機、熱源側熱交換器、絞り装置、室内側熱交換器、副絞り装置、床冷暖房用熱交換器を順に接続した冷凍サイクルが冷媒を循環させて冷房運転を行うステップと、床冷暖房用熱交換器の２次側熱媒体をポンプにより床冷暖房パネルに循環させて、床冷暖房パネルに２次側熱媒体が温熱もしくは冷熱を放出するステップと、を備え、冷凍サイクルを動作させる前にポンプを運転させて２次側熱媒体の温度を検出するステップと、を備えたものである。
【００１３】
本発明にかかわるヒートポンプ式空調装置の運転方法は、圧縮機、床冷暖房用熱交換器、副絞り装置、室内側熱交換器を順に接続した冷凍サイクルに冷媒を循環させ運転を行うステップと、床冷暖房用熱交換器の２次側熱媒体をポンプにより床冷暖房パネルに循環させて、床冷暖房パネルに２次側熱媒体が温熱を放出するステップと、を備え、床冷暖房パネルにて暖房しながら室内熱交換器にて冷房除湿を行うものである。
【００１４】
本発明にかかわるヒートポンプ式空調装置の運転方法は、圧縮機、床冷暖房用熱交換器、室内側熱交換器、絞り装置、室外側熱交換器を順に接続した冷凍サイクルに冷媒を循環させ運転を行うステップと、冷凍サイクルを所定時間運転後、床冷暖房用熱交換器の２次側熱媒体をポンプにより床冷暖房パネルに循環させて、床冷暖房パネルに２次側熱媒体が温熱を放出するステップと、を備え、２次側熱媒体の温度が所定温度に達するまで、またはポンプ起動後所定時間経過するまで、２次側熱媒体の流量を床暖房運転時より減らす運転を行うものである。
【００１５】
【発明の実施の形態】
実施の形態１．
図１、図２は本発明の実施の形態１に係るヒートポンプ式空調装置を示すブロック図である。なお、図１の冷凍サイクルは空調冷房＋床冷房運転時の状態を示している。
【００１６】
図１、図２において、室外機に配置される熱源側熱交換器である室外熱交換器６と、負荷側には室内機に配置される室内熱交換器３とを接続する冷媒配管には絞り装置５が室外機に設けられている。冷媒を循環させる圧縮機１には流れ方向を切換える四方弁２が接続され同様に室外機に設けられている。このような冷凍サイクルの負荷側には床冷暖房用熱交換器４が室内熱交換器と配管で直結されており、図に示すように冷房運転時の冷媒流れ方向において、室内熱交換器３の下流側に冷媒配管により直列接続されている。したがって、熱源側熱交換器である室外熱交換器６に対応した負荷側熱交換器は直列に接続された床冷暖房用熱交換器４と室内熱交換器３となる。室外機に取り付けられた床冷暖房用熱交換器４にはブラインなどの２次側熱媒体を循環させるためのポンプ８が同様に室外機に設けられ、室内の床面に載置された床冷暖房パネル７を配管で接続し２次側熱媒体で順次環状に循環させている。なお図１では床冷暖房用熱交換器４と並列に逆止弁９と開閉弁１１が直列に設けられたバイパス配管が、図２では床冷暖房用熱交換器４と並列に開閉弁１１が設けられたバイパス配管が室外機に配置されている。このバイパス配管により、冷凍サイクルが冷房運転を行うときはバイパス回路に冷媒が流れるが、暖房運転を行うときはバイパス回路に冷媒が流れないように設定することができる。
【００１７】
このヒートポンプ式空調装置の構成について説明する。図１、図２に示すように、圧縮機１から四方弁２を介して一端は室外熱交換器６から絞り装置５を経て室内熱交換器３へ順次配管接続され、四方弁２のもう一端は床冷暖房用熱交換器４へ配管接続されている。そして、前記室内熱交換器３の絞り装置逆側の一端と前記床冷暖房用熱交換器４の四方弁とは逆側の一端を配管接続することで圧縮機１から吐出した冷媒が循環する冷凍サイクルが形成されている。なお、圧縮機１、四方弁２、室外熱交換器６及び絞り装置５は通常一般的に用いられている空気調和機室外機の主要冷媒回路部であり、また室内熱交換器３は空気調和機室内機の主要冷媒回路部、床冷暖房用熱交換器４は床冷暖房用熱交換ユニットの主要冷媒回路部である。したがって、通常一般的に用いられている空気調和機室外機と空気調和機室内機、および床冷暖房用熱交換ユニットとを冷媒配管で順次接続した構成となっている。また、床冷暖房用熱交換器４は圧縮機から吐出された冷媒と熱交換する２次側熱媒体を流通させる配管により床冷暖房パネル７へ接続され、さらに床冷暖房パネルの他端からポンプ８を介して床冷暖房熱交換器４へ配管接続して２次側熱媒体の循環回路を形成している。
【００１８】
次に、このように構成された冷凍サイクルにおいて空調冷房＋床冷房運転時の動作を図３にて説明する。圧縮機１より高温高圧のガス冷媒が吐出し、四方弁２を通った後室外熱交換器６に流入する。室外交換器６に流入した高温高圧のガス冷媒は記載されていない室外送風機により室外の空気と熱交換することにより、吐出温度より冷却されたガス冷媒または気液二相冷媒に凝縮した後で、絞り装置５により膨張し減圧液化する。この冷媒は室内熱交換器３に流入し、室内空気と熱交換することにより蒸発し、一方室内熱交換器を通った室内空気は冷媒との熱交換により温度が下がり、室内の空調冷房運転を実現する。更に冷媒は床暖房用熱交換器４に流入し、２次側熱媒体であるブラインを冷却させ、温度の下がったブラインは床冷暖房パネル７内の配管に入り床冷暖房パネルの表面温度を下げて、床冷房運転を実現させる。床冷暖房用熱交換器４にて蒸発しガス化した低温低圧の冷媒は、四方弁２を通って圧縮機１に吸入される。
【００１９】
以上のように、空調冷房＋床冷房運転を実施する場合、先ず室外熱交換器６で凝縮させ、膨張させて中温低圧にした液冷媒を先ず室内熱交換器３で先ず蒸発させ、より低温の冷媒を床冷暖房用熱交換器４に流し、その後床冷暖房用熱交換器４で放熱し温度の低下したガス冷媒とする構成としているため、１次冷媒を有効に利用してブライン温度を低温化することができ、空調冷房負荷が大きく室内熱交換器３の冷媒の蒸発温度が高い運転をしても、床冷暖房用熱交換器４には必要なブライン温度を確保することが可能となり、必要な床暖房パネルの表面温度を実現することができる。
【００２０】
また、圧縮機１から吐出された冷媒が全て直列に配管接続された室外熱交換器６、室内熱交換器３、床冷暖房用熱交換器４へと順に流れるため、冷媒流速を確保し伝熱性能の低下を防止することができる。
【００２１】
また、圧縮機、四方弁、室外熱交換器、絞り装置、室内熱交換器で構成される部分の冷媒回路は、一般的に量産されている空調機の冷媒回路とまったく同じであり、床暖房用熱交換器を空調機の冷媒回路に直列に配管接続して組合せることによってヒートポンプ床冷暖房空調装置を構成することが可能となり、低コストでヒートポンプ床冷暖房空調装置を提供することができる。
【００２２】
図３は本発明のヒートポンプ床冷暖房空調装置の動作を示すブロック図である。図３の（ａ）は空調冷房運転を示し、（ｂ）は床冷房と空調冷房の運転を示している。図中、１０は冷房運転時に逆止弁９を介して床暖房用熱交換器４をバイパスする第１バイパス配管である。ここで、逆止弁９は室内熱交換器３から四方弁２を介して圧縮機１へ向かう流れ方向を流通可能とするものである。なお、暖房運転時にはこのバイパス回路を冷媒は流れない。更に開閉弁１１によりバイパス回路１０を流れる冷媒量を調整することもできる。なお図２のように逆止弁９がない状態でも開閉弁１１が閉鎖して暖房時のように圧縮機１からの冷媒をバイパス回路１０に流さないようにすることができる。
【００２３】
図３に示すように、空調冷房運転時は圧縮機１から吐出された高温高圧の冷媒が室外熱交換器６で外気と熱交換し凝縮し、絞り装置５で減圧してから、室内熱交換器３で室内ファンにより室内空気と熱交換して蒸発し、室内空気を冷却して冷房運転を行う。すなわち図３（ａ）では圧縮機１より高温高圧のガス冷媒が吐出し、四方弁２を経て室外熱交換器６に流入する。室外熱交換器６に流入したガス冷媒は室外熱交換器６のファンにより空気と熱交換し、冷媒は二相冷媒または過冷却液冷媒となって流通する。そして、室外熱交換器６を流出した冷媒は絞り装置５を通って減圧され、０℃以下の低温状態となって室内熱交換器３に流入する。室内熱交換器３では室内ファンで送風されて熱交換が行われ、冷媒は蒸発して室内熱交換器３を流出する。室内熱交換器３を流出した低温の冷媒は床冷暖房用熱交換器４と逆止弁９、開閉弁１１を有した第１バイパス配管１０にそれぞれの配管抵抗に反比例して分岐するが、第１バイパス配管１０の配管抵抗は床冷暖房用熱交換器４の配管抵抗に比べて非常に小さいため、ほとんどの低温冷媒が第１バイパス配管１０側に流れて床冷暖房用熱交換器４側をバイパスする。第１バイパス配管１０を流出した冷媒は四方弁２を通って圧縮機１に吸入される。一方、図３（ｂ）の床冷房＋空調冷房運転時は冷媒の流れを開閉弁１１によって第１バイパス配管に流さないようにするため、開閉弁１１が閉となり第１バイパス配管１０は機能せず、冷媒は空調冷房用の室内熱交換器３から床冷暖房用熱交換器４へと流通する動作となる。このように第１バイパス配管１０に開閉弁１１を設けた構成としたので、簡単な装置で床冷房を行ったり、止めたりすることができる。
【００２４】
以上のように冷房運転時に０℃以下となる低温冷媒を逆止弁９を有した第１バイパス配管１０に流通させ、床冷暖房用熱交換器４をバイパスさせることができるため、外気温度が低すぎるような場合は床冷暖房用熱交換器４内部の床冷房暖房パネル７へ循環する２次側熱媒体のブラインが冷却凍結して床冷暖房用熱交換器４が破壊されることを防止できる。なお、上記第１バイパス配管１０に逆止弁９を設けた構成で説明したが、逆止弁に限ることはなく、開閉弁でもよく、四方弁による流路切換えに応じてこの開閉弁を操作すれば同様の効果が得られる。
【００２５】
また、図４は本発明のヒートポンプ床冷暖房空調装置を示すブロック図である。図４の冷凍サイクルは床冷房と空調冷房を行う運転時の状態を示している。図４の床冷房を行う２次側回路はボンプ８でブラインを循環させており、送水温度センサ１３は床冷暖房用熱交換器４で冷却又は温められたブラインを床冷暖房パネル７へ送水する位置でのブラインである２次側熱媒体の温度を検出しており、戻水温度センサ１４は床冷暖房パネル７で空気に熱を伝えた後でバッファータンク１２を経由してから床冷暖房用熱交換器４ヘ戻る戻り水の温度を検出している。
【００２６】
図４のヒートポンプ床冷暖房空調装置における室内空調冷房と床冷房運転時の動作を、図５ヒートポンプ床冷暖房空調装置を示すブロック図及び図６この制御動作を示すフローチャートで説明する。圧縮機１より高温高圧のガス冷媒が吐出し、四方弁２を通った後、冷媒は室外熱交換器６にて凝縮し外気に放熱して温度が低下する。次に絞り装置５により減圧され低温低圧の液冷媒は室内熱交換器３にて室内の空気から熱を吸収し、室内空気温度を下げて冷媒は蒸発する。室内の冷房は予め設定されている目標とする室内空気温度に到達したかどうかを室内吸込み空気温度センサ１６にて検出した室内空気の温度から判断しており、冷房運転が必要な場合は室内ファンモータ１８を回転させて冷凍サイクルの冷媒と室内空気との熱伝達を促進させる。次に冷媒は第１バイパス配管１０の開閉弁１１が閉鎖されており、床冷暖房用熱交換器４に流入し更に２次側熱媒体であるブラインから熱を奪い蒸発を行う。床冷暖房用熱交換器４に流入した液もしくは２相状態の冷媒は床暖房パネル７へ循環する２次側熱媒体のブラインと熱交換することにより、２相状態もしくはガス冷媒に蒸発して流出し、四方弁２を通って圧縮機１に吸入される。これらの動作における圧縮機１の運転停止、室内ファンモータ１８の運転停止や開閉弁１１の開閉、絞り装置５の開度調整などは室内吸込み空気温度センサ１６の検出値などをもとに制御回路１５で制御している。床冷暖房を行う２次側回路では同様に戻水温度センサ１４の検出値によりポンプ８の運転停止を制御回路１５で制御している。
【００２７】
図５におけるヒートポンプ床冷暖房空調装置の動作を図６のフローチャートで示す。運転開始指令Ｓ１があると２次側回路における目標戻り水温度が設定Ｓ３される。この床冷房と空調冷房を同時に行う運転時における２次側熱媒体の戻水温度設定は、床冷暖房パネル７の表面温度が予め定められた温度範囲値、例えば２６℃‐２８℃程度となるように、床冷暖房パネル７の材質、設置パターン、設置される床面積、住宅熱損失係数Ｑ値などから推定される室内の熱負荷を考慮した上で決定Ｓ２される。即ち床冷暖房パネル７の表面温度は冷房時や暖房時を通して２５℃ぐらいから３５℃ぐらいまでの範囲で選ばれるが、床冷房を得ようとする場合、体温に比べひんやりとした感覚を与える温度とする。この設定された温度を得るための水温は、床冷暖房パネル７の熱伝達による低下や床への熱の逃げ、室内の熱負荷状況による放熱などを演算の上求める必要があり、床冷暖房パネル７の設置条件、例えばフローリングの種類、施行方法、断熱材の厚み、や室内からの放熱である部屋の広さ高さ、室内機の能力、室内機と室外機の関係などの諸条件を含め床冷暖房パネルデータや住宅データなどを予め入力しておくことにより目標戻水温度が設定可能になる。なおこれらは標準データを準備しておき予め２次側熱媒体の戻水設定値を入力しておいて良いことは当然であり、更に、この設定値を変更可能にしておいて快適さに応じて変えられるようにしておいても良い。
【００２８】
以上の制御は戻水温度を検出し目標値と比較して行ったが送水温度センサ１３で行っても良い。床暖房時は快適性を得るため床冷暖房パネル７の表面温度を高く取り勝ちである。又このため、第１に圧縮機から直接床冷暖房用熱交換器４に流入させ、高温冷媒である圧縮機吐出温度を先ず床冷暖房用熱交換器４にて凝縮させ必要な温度が得られる構造にしている。室内熱交換器と床冷暖房熱交換器の両方とも凝縮器として使用することで床暖房と空調暖房の併用運転も可能であるが、第２に、この暖房時には第１バイパス配管１０に設けた逆止弁９により開閉弁１１の開閉にかかわらずバイパスをさせない様にし、或いは暖房時は開閉弁を閉じて確実に冷媒が床冷暖房用熱交換器４を通す構造にしている。更に第３に圧縮機の運転周波数のみならずポンプ運転においても床暖房能力を空調能力より高く取ることができ、即ち床暖房能力を空調能力より優先して制御できる様にしてあるので快適な暖房が得られる。この暖房時には、床冷暖房パネル温度の目標値が高い分低温やけどを避けるため、高温側の精度の良い温度制御が得やすい床冷暖房パネル７ヘ供給する送水温度を計測すると良い。
【００２９】
図６では続いて戻水温度を検出Ｓ４し、この目標値と検出値を比較Ｓ５する。もし目標値が検出値より低い時は、即ち戻水温度の検出値が高く床冷房が必要と判断されたときは床冷房と空調冷房を併用する運転が開始Ｓ６され、戻水の温度差に応じて圧縮機１の回転数である運転周波数或いはポンプ８の送水量である回転数が調整Ｓ８される。一方戻水を検出した温度が目標温度より低く床冷房が必要ないと判断されるときは空調冷房の運転Ｓ７が室内吸込み空気温度センサ１６の検出値により開始される。この時ポンプ８は停止したままで、圧縮機１の回転や室内ファン１７を駆動する室内ファンモータの駆動が制御され空調冷房が行われる。室内熱交換器と床冷暖房熱交換器の両方とも蒸発器として使用することで床冷房と空調冷房の併用運転は上述の様に可能であるが、圧縮機の運転周波数を床冷房能力によって決定する、即ち床冷房能力を空調冷房能力より優先して制御できる様にしてあるので、床冷房によって躯体の負荷分を取り去り、空調冷房能力を低く設定することができるので、空調によるドラフト感の少ない快適な冷房が得られる。
【００３０】
以上のように、床冷暖房パネル７へ流すブライン温度はボンプ８を使用しなくとも圧縮機周波数の調節によってもあらかじめ設定された目標温度となるように調節することができるため、床暖房パネルの表面温度は環境条件が変化しても常に快適な状態を維持することが可能であり、また、空調機室内機は吸込み空気温度と目標室温との温度差が大きくなれば室内ファンを運転し、吸込み空気温度と目標室温の温度差が小さくなれば室内ファンを停止または低回転で運転し冷暖房運転を停止または能力を下げるため、室内温度は快適な温度範囲内に維持することができる。更に開閉弁１１を開くことにより床冷暖房用熱交換器４に冷房時に冷媒を流入させない様にすることもでき、床冷房を行わないで空調だけの運転も可能で使用目的に合わせた使い勝手の良い運転が行える。
【００３１】
図７は本発明のヒートポンプ床冷暖房空調装置であり、この装置の動作を図８の制御フローチャートで示す。図７、図８は室内空気の温度と湿度から露点温度を求め、この露点温度以上の２次側熱媒体温度として床冷暖房パネルの設置した床における床冷房時の結露を防止する制御を説明する。図７の装置構成図では図５の装置構成図に対し室内空気の湿度を計測する室内吸込み湿度センサ１９を設けていることが相違し他は同一である。室内と室外の絶対湿度差によって室内と室外を分ける床フローリング、床冷暖房を行うための構成部材である床暖房パネル、床との間やパネル上に敷く断熱材を水分が透過してくる。これらの構成品の内、露点を下まわる個所ができると結露する。室内外の温度や湿度などと構成部材により、結露ができないようにするには、床冷房を行う２次側熱媒体の温度を露点以上にすれば良い。冷熱をパネルに供給する、より低い温度である送水温度が望ましいが、冷熱をパネルに供給した後の戻水温度でも床冷暖房パネル７の温度制御の基準温度であるため比較のため設定することが有効である。
【００３２】
図８のフローチャートを説明する。運転開始指令Ｓ１１が行われると、室内吸込み空気温度と湿度を空気温度センサ１６と相対湿度を計測する空気湿度センサ１９にて検出Ｓ１２し、室内露点温度を算出Ｓ１３する。次に戻水温度センサ１４にて２次側熱媒体の温度を検出Ｓ１４し、露点温度と２次側熱媒体温度を比較Ｓ１５する。この比較により露点温度が高ければ圧縮機１の運転周波数やポンプ８の吐出量を２次側熱媒体の温度が高くなるように変更Ｓ１６する。もし露点温度が２次側熱媒体温度よりも低ければ床冷房のような運転指令の運転が行われる。この様に床冷房を結露の問題が無く実行できる。さらに、結露の問題があるときには冷房運転停止時に床冷暖房用熱交換器４だけを凝縮させる運転を行い床冷暖房パネル配管周りを結露しない様に温める、運転前の操作を行うこともできる。以上の様に２次側熱媒体の温度を調整し冷やし過ぎや結露など問題の無い床冷房をコントロールできる。
【００３３】
また、図９、図１０は別のヒートポンプ床冷暖房空調装置を示すブロック図である。なお、図９、図１０の冷凍サイクルは空調冷房＋床暖房運転時の状態を示しており、圧縮機１、四方弁２、床冷暖房用熱交換器４、副絞り装置２２、室内側熱交換器３を順に接続し圧縮機から吐出された冷媒を、絞り装置５と熱源側熱交換器６をバイパスさせて圧縮機へ戻す様に、室内熱交換器３と絞り装置５との間から圧縮機１へ戻す第２のバイパス配管２０を設ける。この第２のバイパス配管には開閉弁２１を設け必要な時以外はこのバイパスを冷媒が流れないようにしている。また床冷暖房用熱交換器４の２次側熱媒体をポンプ８により循環させ２次側熱媒体が温熱を放出する床冷暖房パネル７にて床暖房を行うことができる。即ちこの冷凍サイクルでは床冷暖房用熱交換器４を凝縮器とし、室内熱交換器３を蒸発器とするように副絞り装置２２を開閉し、室外熱交換器をバイパスさせている。図９に対し図１０は、室内熱交換器３と床冷暖房用熱交換器４との間に設けられる副絞り装置２２に並列に二方弁２３を介してバイパスするバイパス回路を配設している。
【００３４】
図９、図１０のヒートポンプ床冷暖房空調装置において、床冷暖房用熱交換器４を凝縮器とし、室内熱交換器３を蒸発器とした空調冷房＋床暖房運転時の運転の動作を説明する。熱源側熱交換器６がバイパスされているため、室内熱交換器３による冷房能力は小さく、室内空気は室内熱交換器３によって弱冷房除湿されて室内の温度・湿度はともに低下するが、同時に床冷暖房用熱交換器４によって床面が温められるため、結果的に暖気味除湿運転となる。この運転により、梅雨時などに室内機で除湿しながら床暖房で足元の寒さ感を解消するという効果が得られる。圧縮機１より高温高圧のガス冷媒が吐出し、四方弁２を通った後床冷暖房用熱交換器４に流入する。バイパス回路１０には逆止弁９のため冷媒は流入できない。床冷暖房用熱交換器４に流入したガス冷媒はポンプ８により循環している２次側熱媒体であるブラインと熱交換することにより、吐出温度より冷却されたガス冷媒または乾き度の高い二相冷媒に凝縮し、床冷暖房用熱交換器４を流出する。一方、温度の上昇したブラインは床暖房パネル７内の配管に入り床暖房パネルの表面温度を上昇させ、床暖房運転を実現させる。床冷暖房用熱交換器４を流出したガス冷媒または二相冷媒は副絞り装置２２により減圧され、室内熱交換器３に流入する。ここで室内ファンで送られてくる室内空気と熱交換することにより冷媒は蒸発し、乾き度の高い気液二相冷媒またはガス冷媒となって室内熱交換器３を流出し、第２バイパス配管の開放された開閉弁２１を通り圧縮機１に吸入される。図１０では副絞り装置２２に並列に二方弁２３を設けているが、このニ方弁２３は閉鎖されている。床冷暖房用熱交換器４を凝縮器とし、室内熱交換器３を蒸発器とするように副絞り装置２２の開度を調整することにより、床冷暖房用熱交換器４からの２次側熱媒体により床冷暖房パネル７は床暖房運転を実現し、一方の室内熱交換器３は冷房除湿の運転を実現する。
【００３５】
この様に梅雨時などを対象としているので顕熱負荷は小さくでき、バイパス回路２０を使用して省エネルギーで寒さを感じない快適な除湿が行える。更に副絞り装置２２を床冷暖房用熱交換器４とともに室外機に配置するので室内で冷媒音などうるさい音が聞こえず、除湿は室内熱交換器３の温度を選択できる様に室内機をドライにして行うので床などでの結露の問題もなくなる。結露対策としては床冷暖房用熱交換器４からの２次側熱媒体により床冷暖房パネル７は床暖房運転を実現し、一方の室内熱交換器３は冷房除湿の運転を実現する図９ないし図１１の回路構成だけでなく、図１の回路構成における室内機空調冷房と床冷房の組合せ運転でも重要である。両方のケースにおいて、即ち室内熱交換器３にて冷房を行う空調冷房運転途中で、冷房動作や除湿動作を停止しているときに、ポンプ８だけを低速で運転させることで結露対策が可能である。冷房動作停止時には室内ファンを停止させて行う場合冷凍サイクルには冷媒の流が存在する。図１の回路では第１バイパス配管１０を流れるので床冷暖房熱交換器では熱交換は行われず２次側熱媒体はポンプ８でゆっくり循環したところで外気の影響を受ける程度である。図９などの場合はもともと床冷暖房熱交換器に高温冷媒を流し第２バイパス回路２０から圧縮機に戻す除湿運転であり、ポンプ８を低速で回転させても除湿運転停止時には床冷暖房熱交換器４では低温冷媒との熱交換は行われない。このように室内熱交換器３を冷房運転途中でこれを停止させたときにポンプ８を低速で運転させると２次側熱媒体を流動させることにより冷凍サイクルを循環する低音冷媒の影響を防ぎ配管を含め床冷暖房パネル周りなど室内側での結露が防止できる。
【００３６】
図１１、図１２、図１３は別のヒートポンプ床冷暖房空調装置を示すブロック図及び制御動作を示すフローチャートである。なお、図１１の冷凍サイクルは空調冷房＋床暖房運転時の状態を示しており、圧縮機１、四方弁２、床冷暖房用熱交換器４、副絞り装置２２、室内側熱交換器３を順に接続し圧縮機から吐出された冷媒を、絞り装置５と熱源側熱交換器６をバイパスさせて圧縮機へ戻す様に、室内熱交換器３と絞り装置５との間から圧縮機１へ戻す第２のバイパス配管２１を設ける。この第２のバイパス配管には開閉弁２１を設け必要な時以外はこのバイパスを冷媒が流れないようにしている。また床冷暖房用熱交換器４の２次側熱媒体をポンプ８により循環させ２次側熱媒体が温熱を放出する床冷暖房パネル７にて床暖房を行うことができる。即ちこの冷凍サイクルでは床冷暖房用熱交換器４を凝縮器とし、室内熱交換器３を蒸発器とするように副絞り装置２２を開閉し、室外熱交換器をバイパスさせていることは図１０等と同一であるが、図１１は、２次側熱媒体の温度を計測する送水温度センサ１３、戻り水温度センサ１４を設けてあることと、室内吸込み空気温度センサ１６を設け、制御回路１５にて圧縮機１の運転周波数、福絞り装置２２の弁開度調整、ポンプ８による２次側熱媒体であるブラインなどの吐出量をポンプの回転数を変化させて変更させるなどの制御を行っている。
【００３７】
図１１のヒートポンプ式空調装置の構成では、床暖房と空調冷房の併用運転を行ない、床冷暖房パネル７にて床暖房を行ないながら、室内熱交換器３で冷房により除湿を行っている。床暖房システムである２次側は、ポンプ８で循環し冷暖房パネル７へ送られる２次側熱媒体の温度が一定となるように圧縮機の運転周波数およびポンプの吐出量および副絞り装置の開度の少なくとも一つを制御している。これにより室内機による空調を冷房除湿運転としているにもかかわらず寒さを感じることが無くなる。
【００３８】
更に、このような暖気味除湿を行うために床暖房と空調冷房の併用運転を行う際、ポンプ８で循環し冷暖房用熱交換器に戻る２次側熱媒体の温度を戻水温度センサ１４で検出しており、この検出値が予め設定された温度より、例えば２℃以上小さくなった範囲内の時、空調冷房＋床暖房運転という併用運転である除湿運転を停止する。これにより無駄なエネルギーを使わずに快適な除湿が行える。この除湿運転中止には２次側熱媒体の温度が一定となるように制御しているのにもかかわらず、戻水温度センサ１４で検出した温度が設定値より所定値以上小さくなったとき、を判断しているが、送水センサの検出値を使用しても良いし、室内吸込み空気温度センサ１６の検出値を用いても良い。室内吸込み空気温度センサ１６の検出値に対しては例えば初期室温よりも２℃程度さがったことを併用運転を停止させる条件にしても良い。特に２次側熱媒体の温度検出と室内空気の温度検出を組合せどちらかの条件に達した時を除湿運転中止とすればエネルギーを使わずに快適な空調を行うことができる。
【００３９】
図１２は除湿を行う運転方法を説明するフローチャートである。図１１の構成のように圧縮機１で圧縮された高温高圧の冷媒を四方弁２を介して床冷暖房用熱交換器４にて凝縮して２次側熱媒体に熱を伝え、副絞り装置２２にて減圧し、室内側熱交換器３にて蒸発させ、これらの公製品を配管で順に接続した冷凍サイクルに冷媒を循環させる。床冷暖房用熱交換器４の２次側熱媒体はポンプ８により床冷暖房パネル７にする。床冷暖房パネル７に２次側熱媒体が温熱を放出して床冷暖房パネル７は暖房を行う。一方室内機では室内熱交換器３にて冷房除湿を行う。図１２が示す様に、先ず運転開始指令Ｓ２１が出ると、予め入力されている床冷暖房パネルデータ、住宅データなどのデータＳ２２と、室内吸込み空気温度センサ１６、室内吸込み空気湿度センサ１９にて検出された室内空気の初期温度、初期湿度Ｓ２４と、から、２次側熱媒体の設定温度である目標送水温度や目標戻水温度が設定Ｓ２３、Ｓ２５される。
【００４０】
圧縮機１やポンプ８が運転され除湿運転が行われる。この運転時に送水温度センサ１３にて送水温度が検出Ｓ２６されて設定された目標値と所定の範囲で一定かどうか判断Ｓ２７される。もし一定と判断されると次に戻水温度検出値Ｓ２８が設定値に対し２℃以内の低い温度範囲内にあるかどうかと、室内空気温度センサ１６で検出した空気温度Ｓ３０もやはり初期値に対し２℃以内の低い温度範囲内にあるかが判断Ｓ３１される。少なくとも一方がその通りという判断結果になれば除湿運転は停止Ｓ３２される。もし両方のデータが所定の温度範囲を外れていれば除湿運転が継続されるか、或いは停止していたら再開Ｓ３３される。一方、送水温度が検出Ｓ２６されて設定された目標値と所定の範囲で一定かどうか判断Ｓ２７されたときに、一定とは判断されない場合は圧縮機１の運転周波数、副絞り装置２２の開度、ポンプ８の送水量のいずれかを変更したり、或いは組合せて変更して一定となるように運転する。この制御により確実な除湿運転が行えるとともに無駄な運転を防止している。
【００４１】
図１３は床冷暖房パネル７にて暖房しながら室内熱交換器３にて冷房除湿を行う制御を示すフローチャートである。図１１におけるポンプ８で循環する２次側冷媒体の冷暖房パネル７へ送水する送水温度を送水温度センサ１３で検出Ｓ４２し、更にポンプで循環する２次側冷媒体の床冷暖房用熱交換器４に戻る戻水温度を戻水温度センサ１４で検出Ｓ４３し、更にこれらの温度およびポンプ８の送水量、即ちポンプの吐出量はポンプ回転数から得られるが、から床暖房能力を制御回路１５で算出Ｓ４４している。室内熱交換器前後の空気の温度差から得られる冷房能力を算出Ｓ４５してから、この算出された床暖房能力と冷房能力の能力比が予め設定Ｓ４６された能力比許容範囲内に入るかどうか判断Ｓ４７し、一定範囲内に入るように、圧縮機１の運転周波数および副絞り装置２２の開度、ポンプ８送水量の少なくとも一つを変更Ｓ４８するように制御する。図１２、図１３の制御を行うことにより第１に室内の温湿度が、快適な範囲に常に入るように、ヒートポンプ式空調装置が設置される条件や室内の熱負荷などを考慮されて目標となる２次側熱媒体温度、即ち目標戻水温度が設定され、床冷暖房パネルの表面温度や室内機蒸発温度である室内機吹出し温度を決定している。更に第２に床暖房と室内機の空調冷房のコントロールを、例えば室温が大幅に低下するなど一方に偏らせずに快適さを失わない安定した運転を行わせることができる。即ち床暖と室内冷房との能力分配を安定させることにより制御の変動を押さえ目標値を確保する確実な運転が可能になる。更に第３に室内機に設置された温度センサ及び湿度センサから検出される室内温湿度をエネルギーの無駄無しに目標とする温湿度に早く収束させることができる。
【００４２】
更に本発明の制御として、図１のヒートポンプ式空調装置構成を暖房運転させる場合、圧縮機１、床冷暖房用熱交換器４、室内側熱交換器３、絞り装置５、室外側熱交換器６を順に接続した冷凍サイクルに冷媒を循環させ運転を行なわせる。圧縮機から吐出された高温高圧の冷媒は床冷暖房用熱交換器４にて凝縮可能であるが、先ず室内ファン１７を運転させ室内機で暖房運転を行う。この時床暖房、即ちポンプ８の運転はしばらく停止のまま、或いは起動したとしてもポンプの流量を大幅に下げた運転を行う。これは冷凍サイクルを所定時間運転後、床冷暖房用熱交換器の２次側熱媒体をポンプにより床冷暖房パネルに循環させて、床冷暖房パネルに２次側熱媒体が温熱を放出させるもので、２次側熱媒体の温度が所定温度に達するまで、またはポンプ起動後所定時間経過するまで、２次側熱媒体の流量を床暖房運転時より減らす運転である。先ず冷凍サイクルの運転を開始してから室内機による空調暖房をはじめ、これと同じ、又は少し時間を置いてから、いきなり床暖房を２次側熱媒体の温度が所定温度に達するまで能力一杯運転させると空調暖房より優先させた運転となり、床暖房起動時床冷暖房熱交換器の熱交換で供給熱量の大半が２次側熱媒体の温度上昇に使われ冷凍サイクルの圧力が低下し空調暖房に影響して室温の低下をもたらすだけでなく、室温の変動が続き使用者にとって不快感をもたらす。このため、ポンプ起動時の流量をフル運転の半分ぐらいまで落とし２次側熱媒体の温度上昇をゆっくり行う様にすると床暖房起動時に床冷暖房熱交換器の熱交換による空調暖房の能力低下を若干量に押さえ床暖及び室内熱交換器の能力の両方を確保できるので室温低下を防止でき、且つ、床暖房も急速に立ち上げることができる。
【００４３】
次に床冷暖房熱交換器４の説明を行う。図１４は床冷暖房用熱交換器を二重管熱交換器とした熱交換器説明図で、２４、２５はそれぞれ冷凍サイクルが冷房暖房など行う際の冷媒入口管、冷媒出口管、２６、２７はそれぞれ床冷暖房運転時の２次側熱媒体のブライン入口管、ブライン出口管である。断面ＡＡの図に示すように、大小の円管が互いに接しないように二重に配置され、内側の小さい円管の内部を冷媒が流通し、その外側の大円管と小円管で挟まれた流路を床冷暖房パネル７へ循環する２次側熱媒体のブラインが流通する構成となっている。
【００４４】
本発明のヒートポンプ式空調装置において、床暖房＋空調冷房運転時で除湿を行うなどに床冷暖房用熱交換器４を利用する場合の床冷暖房用熱交換器４内の冷媒およびブラインの流れについて図９の構成をもとに説明する。圧縮機１を吐出した高温高圧のガス冷媒は冷媒入口管２４より流入する（実線矢印）。一方、２次側熱媒体であるブラインはブライン入口管２６より流入する（二重線矢印）。ガス冷媒は熱交換器４内を流れながら、ブラインと熱交換し、冷媒出口管２５では過熱度の小さいガス冷媒または乾き度の高い二相冷媒となって流出し、下流側の室内熱交換器３側へ流れる。ブラインは床冷暖房用熱交換器４内を流れながらガス冷媒と熱交換し、ブライン出口管２４では高温のブラインとなって流出する。
【００４５】
本ヒートポンプ床冷暖房空調装置の床冷暖房用熱交換器４は、冷媒と２次側熱媒体であるブラインをお互いに逆方向で流すいわゆる対向流で流す構成としているため、床冷暖房用熱交換器４冷媒側流路の多くの部分を顕熱変化をする過熱ガス冷媒で占められる場合、２次側熱媒体であるブラインとの平均温度差を小さくする事が可能となり効率を向上することができるとともに、冷媒出口温度よりも高いブライン出口温度を得ることができる。但し室内熱交換器及び床冷暖房熱交換器とも冷房運転を行う場合、バイパイ管１０を通さずに熱交換器４を通すときは冷媒は２５から２４へと流れるが、床冷暖房パネル表面での冷却では室内熱交換器３での空調冷房と同程度の温度であって、もしくは空調より床冷房の温度を下げることを行わないのでブラインの流と冷媒の流が同方向になっても影響がない。ここでは二重管熱交換器を例に挙げたが、別の形態として波状のプレートを積層してブレージング加工によりプレート同士を接合して流路を形成し、冷媒とブラインを交互の流路に流すことにより熱交換をさせるプレート式熱交換器を用いても、同様の効果を得ることができる。またさらに、二重管熱交換器の冷媒が流通する内側円管に伝熱促進手段として溝付伝熱管としてもよく、これにより熱交換を促進させて、二重管熱交換器をコンパクトにできる効果もある。
【００４６】
なお図９等では、２次側熱媒体であるブラインを循環させるポンプ８の吸入側に余分なブラインを貯溜することができるバッファータンク１２を有しており、床暖房運転時にバッファータンク１２内に貯溜されたブラインは床暖房で必要な温度に昇温された状態で保たれている。なおバッファータンク１２の出口側ブライン配管はブラインをポンプ８で吸引する必要があるため、タンクの下部に配設する。そして、ポンプ８を床冷暖房用熱交換器４の下流側に配置してブラインをポンプ８で床冷暖房用熱交換器４へ押し込む形態とすると、この床冷暖房用熱交換器４により熱交換された２次側熱媒体のブラインの温度が上昇するので、ポンプ８の信頼性を保つために高温になったブラインの影響を受けないような配置とすることができる。また冷媒流入口２４を冷媒流出口２５よりも重力方向に高い位置となるように構成することにより、重力により冷凍機油の移動を促進することが可能となり、冷凍機油が床冷暖房用熱交換器４内に滞留することを防止できる。プレート式熱交換器を使用する場合でも暖房時に冷凍サイクルの冷媒が上から下へ流れる構造とすると重力により冷凍機油が移動しやすい。また、床暖房パネル７はフローリングタイプのものが一般的であるが、カーペットの内部にブライン配管を通したカーペットタイプのものでもよい。なお今までの説明では床冷暖房パネル７を使用する床冷暖房の説明を行ってきたが、居室などの床面に敷くパネルでなくとも、例えば室内壁面、ベッド上面、自動車・電車のシート面などに強いたり取り付けたりするパネルに応用できることは当然である。床に敷く絨毯の代わりに壁に取り付けて空調と冷暖房を併用することはより簡単な構造で得られるまた自動車や電車などにヒートポンプ式空調装置が使用されており、このようなパネルを取り付ける構造もまた簡単に得られる。。
【００４７】
以上のように、本発明のヒートポンプ式空調装置は一般的な空調用室外機と空調用室内機と床暖房パネルを温水ユニットと冷媒配管およびブライン配管で接続することによりシステムを構成することができるため、既設の空調用室外機と空調用室内機による空調機をそのまま用いて容易にヒートポンプ床冷暖房空調装置にシステム化する事が可能となる。また、空調用室外機と温水ユニットと空調用室内機と床暖房パネルを別々分けて設置場所へ搬入し、現地で接続し組立てることで本システムを容易に構成できるため、少ない人数でも本システムを搬入し設置することができる。また、一部のユニットで故障が発生した場合、故障したユニットだけを取り外し交換することで修理が完了するため、修理時間も短縮でき、さらに修理費用も安価にすることができる。
【００４８】
ここで、上述したヒートポンプ式空調装置を現地の据付け現場で組み立てる場合について説明する。工場から搬出してきた空調機室外ユニットの上部に床冷暖房用熱交換ユニットである温水ユニットを搭載固定し、冷媒配管の接続を行う。次に、空調機室内ユニットを延長配管で空調機室外ユニットおよび温水ユニットに接続し、空調機室内ユニットと温水ユニットの冷媒回路での真空引きを行う。その後、空調機室外ユニットのバルブを開いて冷媒を回路へまわす。一方、床冷暖房側は、床冷暖房パネル７と温水ユニットをブライン配管で接続した後、２次側熱媒体であるブラインを充填してポンプ８を運転しながらブラインを床冷暖房側回路へ流通させて組立てが完了する。なお、空調用室外機は、空調用室内機を１台接続するタイプを用いて説明したが、空調用室内機を複数台接続するマルチタイプの空調用室外機を用いても良く同様の効果が得られる。
【００４９】
また、本発明のヒートポンプ式空調装置は使用する冷凍機油として使用する冷媒がＨＦＣに対して例えば弱溶解性の油を用いたものである。冷媒に対して弱溶解性の油であるアルキルベンゼン油は、非常に安定性が高い油として知られており、水分などの異物が混入しても分解することなくスラッジの発生により冷媒回路が閉塞することを低減できる。冷凍機油として非常に安定性が高い弱溶解性油を用いているため、設置工事などの際、異物が混入しても冷凍サイクルに故障を起こすことは少なく高い信頼性を確保することができる。また、本発明のヒートポンプ式空調装置は使用する冷媒としてＲ１３４ａ、Ｒ４１０Ａ、Ｒ４０７Ｃ、Ｒ４０７Ｅ、Ｒ４０７ＡなどのＨＦＣ冷媒またはＲ２９０、Ｒ６００ａなどのＨＣ冷媒もしくはＣＯ２冷媒のような自然冷媒を用いたものでも良い。これにより地球環境への悪影響を防止することができる。このヒートポンプ床冷暖房空調装置の冷凍サイクルに、ＨＦＣ冷媒またはＨＣ冷媒を用いているため、オゾン層破壊や地球温暖化など地球環境に悪影響を与えないヒートポンプ床冷暖房空調装置を提供することができる。
【００５０】
本発明の図１０のような構成で第２のバイパス回路２０の開閉弁２１を閉鎖し冷媒をバイパスせず室外熱交換器６へ流して、空調暖房＋床暖房運転を実施する場合、副絞り装置２２によって２つの凝縮温度を作りだし、高温高圧の吐出ガス冷媒を室内熱交換器３より優先して床冷暖房用熱交換器４に流し、床冷暖房用熱交換器４で放熱し温度の低下したガス冷媒または二相冷媒を副絞り装置２２によって減圧させ中圧中温の二相冷媒として下流の室内熱交換器３に流す構成とすることができる。この場合、圧縮機から吐出された過熱ガス冷媒を有効に利用しさらに高凝縮温度の二相冷媒と熱交換することによってブライン温度を高温化することができ床暖房能力を増加することが可能となり、一方室内熱交換器３へは凝縮温度の低下した中圧中温の冷媒を流すため、暖房能力を抑制することが可能となり、暖房能力を過大にすることなく床暖房能力を優先する運転が可能となり、室温を適性に保ちながら、床暖房パネルの表面温度の上昇を実現することができる。また第２のバイパス回路２０の開閉弁２１を閉鎖し冷媒をバイパスせず室外熱交換器６へ流し、さらに絞り装置５を全開として副絞り装置２２を主絞り装置として使用することにより、室内熱交換器３と室外熱交換器６がともに蒸発器となり、空調冷房除湿＋床暖房運転が可能となる。この場合、室外熱交換器６をバイパスするときよりも熱源側の熱交換量増えるので、床暖房パネルにおける能力が大幅に向上し、梅雨時で特に湿度の高さよりも気温の低さが気になる時などに、室内機で除湿しながら床暖房で床温を短時間で上昇させ、足元の寒さ感を解消するという効果が得られる。
【００５１】
また、圧縮機１から吐出された冷媒が全て直列に配管接続された床冷暖房用熱交換器４および室内熱交換器３を順に流れるため、冷媒流速を確保し伝熱性能の低下を防止することができる。また、圧縮機、四方弁、室外熱交換器、絞り装置、室内熱交換器で構成される部分の冷媒回路は、一般的に量産されている空調機の冷媒回路とまったく同じであり、床冷暖房用熱交換器を空調機の冷媒回路に配管接続して組合せることによってヒートポンプ床冷暖房空調装置を構成することが可能となり、低コストでヒートポンプ床冷暖房空調装置を提供することができる。ここで、副絞り装置２２は可動式で絞り量の調整が可能であるため必要に応じて絞り量を変更し、床冷暖房用熱交換器４の凝縮温度と室内熱交換器３の凝縮温度を同じにしたり床冷暖房用熱交換器側を室内熱交換器よりも高くすることで、空調暖房優先運転と床暖房優先運転を切換えることができる。このように空調暖房優先モードにおいては、二方弁２３を開で運転するため、床冷暖房用熱交換器４と室内熱交換器３を流れる冷媒は同じ高圧となり、相対的に伝熱面積が大きく伝熱性能の良い室内熱交換器３の凝縮能力によって高圧の動作圧力が決まる。したがって、空調暖房能力が床暖房能力に比べて相対的に大きくなり、空調暖房優先の運転を実現することができる。空調暖房優先モードは特に室温が低い立ち上がり時に適用され、床温度よりも室温の上昇を優先する場合の運転モードである。
【００５２】
また、もう一つの運転モードである床暖房優先モードにおいては、二方弁１９を閉の状態で運転する。圧縮機１より高温高圧のガス冷媒が吐出し、四方弁２を通った後床冷暖房用熱交換器４に流入する。床冷暖房用熱交換器４に流入したガス冷媒はポンプ８により循環している２次側熱媒体であるブラインと熱交換することにより、吐出温度より冷却されたガス冷媒または乾き度の高い二相冷媒に凝縮し、床冷暖房用熱交換器４を流出する。一方、温度の上昇したブラインは床冷暖房パネル７内の配管に入り床冷暖房パネルの表面温度を上昇させ、床暖房運転を実現させる。床冷暖房用熱交換器４を流出したガス冷媒または二相冷媒は副絞り装置２２によって高圧から中圧に減圧され、凝縮温度は床暖房用熱交換器内の高温から中温に低下して室内熱交換器３に流入する。中圧中温の二相冷媒は室内空気と熱交換することにより、乾き度の低い気液二相冷媒または過冷却液冷媒に凝縮し、室内熱交換器３を流出する。一方室内熱交換器を通った室内空気は冷媒との熱交換により温度が上昇し、空調暖房運転を実現する。室内熱交換器３を流出した冷媒は絞り装置５により減圧され、室外熱交換器６に流入する。ここで外気と熱交換することにより冷媒は蒸発し、乾き度の高い気液二相冷媒またはガス冷媒となって室外熱交換器６を流出し、四方弁２を通って圧縮機１に吸入される。
【００５３】
このように床暖房優先モードにおいては、空調暖房＋床暖房運転を実施する場合、副絞り装置２２によって２つの凝縮温度を作りだし、高温高圧の吐出ガス冷媒を室内熱交換器３より優先して床冷暖房用熱交換器４に流し、床冷暖房用熱交換器４で放熱し温度の低下したガス冷媒または二相冷媒を副絞り装置２２によって減圧させ中圧中温の二相冷媒として下流の室内熱交換器３に流す構成としているため、圧縮機から吐出された過熱ガス冷媒を有効に利用しさらに高凝縮温度の二相冷媒と熱交換することによってブライン温度を高温化することができ床暖房能力を増加することが可能となり、一方室内熱交換器３へは凝縮温度の低下した中圧中温の冷媒を流すため、空調暖房能力を抑制することが可能となり、空調暖房能力を過大にすることなく床暖房能力を優先する運転が可能となり、室温を適性に保ちながら、床暖房パネルの表面温度の上昇を実現することができる。床暖房優先モードは特に室温が設定温度付近で床温度が十分に上がっていない場合に適用され、室温よりも床温度の上昇を優先する場合の運転モードである。
【００５４】
以上のように、本発明においては副絞り装置２２を二方弁を介してバイパスするバイパス回路を配設しているため、二方弁の開閉によって空調冷暖房優先運転と床冷暖房優先運転を切換えることが可能となり、負荷に応じて適切な運転をすることができる。本発明のヒートポンプ床冷暖房空調装置は床冷暖房優先運転開始時に室内風量制御をも行う。床冷暖房優先指令を受けると二方弁２３を閉じると共に室内ファン１７に連結された室内ファンモータ１８の回転数を落とし、室内風量を小さくする。
【００５５】
以上本発明は、床冷暖房用熱交換器から床冷暖房パネルへ２次側熱媒体を循環させるポンプと、を備え、２次側熱媒体が前記床冷暖房パネルに温熱もしくは冷熱を放出して床暖もしくは床冷を行うものであり、従来のエアコンの冷凍サイクルに、室内熱交換器に床冷暖房用熱交換器を直列に直結するだけで床冷暖房ユニットを接続することができ簡単な構造で信頼性が高く性能の良い空調装置が得られる。
【００５６】
以上本発明は、床冷暖房用熱交換器の冷媒流入部と冷媒流出部をバイパスさせる流路制御手段として第１バイパス配管上に設けられ、前記第１バイパス配管を開閉する開閉弁、または前記室内熱交換器への流れを阻止する逆止弁と開閉弁を直列に接続したものであるので、簡単な回路と素子で空調冷暖房、除湿、床冷暖房などの各種の組合せ条件の運転が容易に得られる。
【００５７】
以上本発明は、冷凍サイクルを循環する冷媒が室内熱交換器から第１バイパス回路へ流通する空調運転と、冷媒が室内熱交換器から床冷暖房用熱交換器へ流通し床冷暖房用熱交換器にて２次側熱媒体へ熱交換させる運転と、のいずれかの運転への切り替えを前記第１バイパス配管を開閉する開閉弁にて行うので信頼性の高い運転を確実に行うことができる。
【００５８】
以上本発明は、圧縮機から床冷暖房用熱交換器および室内熱交換器を循環させた冷媒を熱源側熱交換器をバイパスさせて圧縮機へ戻す第２のバイパス配管と、第２のバイパス配管上に設けられ、第２のバイパス配管を開閉させる第２の開閉弁と、床冷暖房用熱交換器と室内熱交換器との間に設けられ各熱交換器を凝縮および膨張させる副絞り装置と、を備えたので少ないエネルギーで快適な空調が得られる。
【００５９】
以上本発明は、室内熱交換器と床冷暖房用熱交換器の間に設けられる副絞り装置に並列で二方弁を介してバイパスするバイパス回路を配設したので、室内熱交換器と床冷暖房用熱交換器ともにフルに活用できる。
【００６０】
以上本発明は、床冷暖房用熱交換器は二重管熱交換器としたので熱伝達が良好で、流量変化に対しても能力変化が小さくでき急速な床冷暖房立ち上げにも効果的である。
【００６１】
以上本発明は、床冷暖房用熱交換器から床冷暖房パネルに送られる２次側熱媒体の温度を検出する送水温度センサー、および、前記床冷暖房パネルから前記床冷暖房用熱交換器に戻る２次側熱媒体の温度を検出する戻水温度センサー、の少なくとも一方を設けたので各種組合せ運転が精度よく行える。
【００６２】
以上本発明は、負荷側熱交換器は室内熱交換器と床冷暖房用熱交換器を直列に配管接続しともに凝縮器として使用して床暖房と空調暖房の併用運転を行う際、圧縮機の運転周波数は床暖房能力を空調暖房能力に優先して制御するとともに、空調暖房能力は前記室内熱交換器に送風する室内ファンの断続運転または回転数増減により制御するので、快適な暖房が得られる。
【００６３】
以上本発明は、負荷側熱交換器は室内熱交換器と床冷暖房用熱交換器を直列に配管接続しともに蒸発器として使用して床冷房と空調冷房の併用運転を行う際、圧縮機の運転周波数は床冷房能力を空調冷房能力に優先して制御するとともに、空調冷房能力は室内熱交換器に送風する室内ファンの断続運転または回転数増減により制御するので、快適な冷房が短時間で得られる。
【００６４】
以上本発明は、負荷側熱交換器は室内熱交換器と床冷暖房用熱交換器を直列に配管接続しともに蒸発器として使用して床冷房と空調冷房の併用運転を行う際、ポンプで循環する２次側熱媒体の温度が、予め設定された温度に近づくように前記圧縮機の運転周波数および前記ポンプの送水量の少なくとも一方を制御するので、冷やし過ぎや不安定な運転を避けることができる。
【００６５】
以上本発明は、負荷側熱交換器は室内熱交換器と床冷暖房用熱交換器を直列に配管接続しともに蒸発器として使用して床冷房と空調冷房の併用運転を行う際、ポンプで循環する２次側熱媒体の温度が、予め設定された温度より大きいときは床冷房と空調冷房の併用運転を継続し、設定された温度より小さいときは空調冷房のみの運転を行うので無駄な運転を避けることができる。
【００６６】
以上本発明は、負荷側熱交換器は室内熱交換器と床冷暖房用熱交換器を直列に配管接続しともに蒸発器として使用して床冷房と空調冷房の併用運転を行う際、ポンプで循環する２次側熱媒体の温度が、算出された室内空気の露点温度よりも高くなるように圧縮機の運転周波数およびポンプの送水量の少なくとも一方を制御するので結露を発生させない。
【００６７】
以上本発明は、床冷暖房用熱交換器から送水される２次側熱媒体が温熱もしくは冷熱を放出する床冷暖房パネルの表面温度をほぼ２５℃ないし３５℃程度になるように前記圧縮機の運転周波数および前記ポンプの送水量の少なくとも一方を制御するので安定した人にやさしい空調が得られる。
【００６８】
以上本発明は、冷凍サイクルを循環させる冷媒として、ＨＦＣ冷媒、または、ＨＣ冷媒やＣＯ２冷媒のような自然冷媒を用い、２次側熱媒体としてブラインを用いたので環境にやさしい空調が得られる。
【００６９】
以上本発明は、圧縮機、床冷暖房用熱交換器、副絞り装置、室内側熱交換器を順に接続し圧縮機から吐出された冷媒を循環させる冷凍サイクルと、冷凍サイクルを循環させる冷媒を熱源側熱交換器をバイパスさせて圧縮機へ戻す第２のバイパス配管と、床冷暖房用熱交換器の２次側熱媒体をポンプにより循環させ２次側熱媒体が温熱を放出する床冷暖房パネルと、を備え、床冷暖房パネルにて暖房しながら室内熱交換器にて冷房除湿を行うので、有効な除湿が快適に行える。
【００７０】
以上本発明は、床暖房と空調冷房の併用運転を行う際、ポンプで循環し冷暖房パネルへ送られる２次側熱媒体の温度が一定となるように圧縮機の運転周波数およびポンプの吐出量および副絞り装置の開度の少なくとも一つを制御するので快適な空調が簡単に確実に得られる。
【００７１】
以上本発明は、床暖房と空調冷房の併用運転を行う際、ポンプで循環し冷暖房用熱交換器に戻る２次側熱媒体の温度が、設定された温度より所定値以上小さくなったとき、併用運転を停止させるので無駄な運転を避けることができる。
【００７２】
以上本発明は、圧縮機、床冷暖房用熱交換器、副絞り装置、室内側熱交換器を順に接続した冷凍サイクルに冷媒を循環させ運転を行うステップと、床冷暖房用熱交換器の２次側熱媒体をポンプにより床冷暖房パネルに循環させて、床冷暖房パネルに２次側熱媒体が温熱を放出するステップと、を備え、床冷暖房パネルにて暖房しながら室内熱交換器にて冷房除湿を行うので寒さを感じないで除湿を行える。
【００７３】
以上本発明は、床冷暖房パネルにて暖房しながら室内熱交換器にて冷房除湿を行う際、ポンプで循環する２次側冷媒体の冷暖房パネルへ送水する送水温度およびポンプで循環する２次側冷媒体の冷暖房用熱交換器に戻る戻水温度およびポンプの送水量から床暖房能力を算出するステップと、を備え、この算出された床暖房能力と室内熱交換器前後の空気の温度差から得られる冷房能力との能力比が一定範囲となるように、圧縮機の運転周波数および前記副絞り装置の開度の少なくとも一つを制御するので、少ないエネルギーで快適な空調が得られる。
【００７４】
以上本発明は、圧縮機、床冷暖房用熱交換器、室内側熱交換器、絞り装置、室外側熱交換器を順に接続した冷凍サイクルに冷媒を循環させ運転を行うステップと、冷凍サイクルを所定時間運転後、床冷暖房用熱交換器の２次側熱媒体をポンプにより床冷暖房パネルに循環させて、床冷暖房パネルに２次側熱媒体が温熱を放出するステップと、を備え、２次側熱媒体の温度が所定温度に達するまで、またはポンプ起動後所定時間経過するまで、２次側熱媒体の流量を床暖房運転時より減らす運転を行うので、快適な空調を安定した制御で行える。
【００７５】
【発明の効果】
以上のように本発明のヒートポンプ式空調装置は、圧縮機、熱源側熱交換器、絞り装置、負荷側熱交換器を順に接続し圧縮機から吐出した冷媒を圧縮機に戻す冷凍サイクルと、負荷側熱交換器を形成する空調用の室内熱交換器と床冷暖房用熱交換器を直列に配管接続しこの床冷暖房用熱交換器の冷媒流入部と冷媒流出部をバイパスさせる第１バイパス配管と、第１バイパス配管上に冷凍サイクルが冷房運転回路時に冷媒を流通可能で暖房運転回路時に冷媒を流通させない流路制御手段と、を備えたので、冷暖房を含め各種運転が伝熱性能の低下を起すことなく実現でき、一般的に量産されている空調機の冷媒回路に床冷暖房用熱交換器を組合せることによってヒートポンプ床冷暖房空調装置を構成することが可能となり、低コストでこのヒートポンプ式空調装置を提供することができる。
【００７６】
本発明のヒートポンプ式空調装置は、圧縮機、床冷暖房用熱交換器、副絞り装置、室内側熱交換器を順に接続し圧縮機から吐出された冷媒を循環させる冷凍サイクルと、冷凍サイクルを循環させる冷媒を熱源側熱交換器をバイパスさせて圧縮機へ戻す第２のバイパス配管と、床冷暖房用熱交換器の２次側熱媒体をポンプにより循環させ２次側熱媒体が温熱を放出する床冷暖房パネルと、を備え、床冷暖房用熱交換器を凝縮器とし、室内熱交換器を蒸発器とするように副絞り装置を開閉するので、快適で無駄のない運転が可能になる。
【００７７】
本発明のヒートポンプ式空調装置の運転方法は、圧縮機、熱源側熱交換器、絞り装置、室内側熱交換器、副絞り装置、床冷暖房用熱交換器を順に接続した冷凍サイクルが冷媒を循環させて冷房運転を行うステップと、床冷暖房用熱交換器の２次側熱媒体をポンプにより床冷暖房パネルに循環させて、床冷暖房パネルに２次側熱媒体が温熱もしくは冷熱を放出するステップと、を備え、冷凍サイクルを動作させる前にポンプを運転させて２次側熱媒体の温度を検出するステップと、を備えたので、安全で信頼性の高い空調運転が可能になる。
【００７８】
本発明にかかわるヒートポンプ式空調装置の運転方法は、圧縮機、床冷暖房用熱交換器、副絞り装置、室内側熱交換器を順に接続した冷凍サイクルに冷媒を循環させ運転を行うステップと、床冷暖房用熱交換器の２次側熱媒体をポンプにより床冷暖房パネルに循環させて、床冷暖房パネルに２次側熱媒体が温熱を放出するステップと、を備え、床冷暖房パネルにて暖房しながら室内熱交換器にて冷房除湿を行うので、快適で無駄のない除湿運転が可能になる。
【００７９】
本発明にかかわるヒートポンプ式空調装置の運転方法は、圧縮機、床冷暖房用熱交換器、室内側熱交換器、絞り装置、室外側熱交換器を順に接続した冷凍サイクルに冷媒を循環させ運転を行うステップと、冷凍サイクルを所定時間運転後、床冷暖房用熱交換器の２次側熱媒体をポンプにより床冷暖房パネルに循環させて、床冷暖房パネルに２次側熱媒体が温熱を放出するステップと、を備え、２次側熱媒体の温度が所定温度に達するまで、またはポンプ起動後所定時間経過するまで、２次側熱媒体の流量を床暖房運転時より減らす運転を行うので、安定した動作の運転で快適な空調が得られる。
【図面の簡単な説明】
【図１】本発明の実施の形態に係るヒートポンプ式空調装置を示すブロック図である。
【図２】本発明の実施の形態に係る別のヒートポンプ式空調装置を示すブロック図である。
【図３】本発明の実施の形態に係るヒートポンプ式空調装置の動作を示すブロック図である。
【図４】本発明の実施の形態に係る別のヒートポンプ式空調装置を示すブロック図である。
【図５】本発明の実施の形態に係る別のヒートポンプ式空調装置を示すブロック図である。
【図６】本発明の実施の形態に係わるヒートポンプ式空調装置の制御動作を示すフローチャートである。
【図７】本発明の実施の形態に係るに別のヒートポンプ式空調装置を示すブロック図である。
【図８】本発明の実施の形態に係わるヒートポンプ式空調装置の制御動作を示すフローチャートである。
【図９】本発明の実施の形態に係る別のヒートポンプ式空調装置を示すブロック図である。
【図１０】本発明の実施の形態に係る別のヒートポンプ式空調装置を示すブロック図である。
【図１１】本発明の実施の形態に係る別のヒートポンプ床暖房空調装置を示すブロック図である。
【図１２】本発明の実施の形態に係わるヒートポンプ式空調装置の制御動作を示すフローチャートである。
【図１３】本発明の実施の形態に係わるヒートポンプ式空調装置の制御動作を示すフローチャートである。
【図１４】本発明の実施の形態の床冷暖房熱交換器の構造を説明する図である。
【符号の説明】
１  圧縮機、  ２  四方弁、  ３  室内熱交換器、  ４  床冷暖房用熱交換器、  ５  絞り装置、  ６  室外熱交換器、  ７  床冷暖房パネル、  ８  ポンプ、  ９  逆止弁、  １０  第１バイパス配管、  １１  開閉弁、  １２  バッファータンク、  １３  送水温度センサ、  １４  戻水温度センサ、  １５  制御回路、  １６  室内吸込み空気温度センサ、  １７  室内ファン、  １８  室内ファンモータ、  １９  室内吸込み空気湿度センサ、  ２０  第２バイパス配管、  ２１  開閉弁、  ２２  副絞り装置、  ２３  二方弁、  ２４  冷媒入口管（暖房回路時）、  ２５  冷媒出口管（暖房回路時）、  ２６  ブライン入口管、  ２７  ブライン出口管。
【図１】
2005016858.tif 000003
【図２】
2005016858.tif 000004
【図３】
2005016858.tif 000005
【図４】
2005016858.tif 000006
【図５】
2005016858.tif 000007
【図６】
2005016858.tif 000008
【図７】
2005016858.tif 000009
【図８】
2005016858.tif 000010
【図９】
2005016858.tif 000011
【図１０】
2005016858.tif 000012
【図１１】
2005016858.tif 000013
【図１２】
2005016858.tif 000014
【図１３】
2005016858.tif 000015
【図１４】
2005016858.tif 000016